(57)【要約】自然感触のポリマーは、例えば毛髪または皮膚などのケラチンに基づいた繊維、あるいは例えば綿、毛糸などの織物に適用したときに、柔らかさと天然繊維への強い親和性が都合よく混じった天然の感触を与え、かつ水溶性であって水耐性である。該ポリマーはモノマー（例えばα-オレフィン）無水マレイン酸アルキル半エステルまたは完全な酸、マレアミン酸およびマレイミドの繰り返し単位を含み、ポリエーテルアミンにより誘導体化され、必要に応じてカルボン酸含有化合物ポリマーとの混合剤となる。【特許請求の範囲】
【請求項１】
自然感触のポリマー”A”であって、該ポリマーは固さと柔らかさが都合よく混りあい、天然の繊維に対する強い親和性、水溶性および水に対する耐性を示し、下記の化学式に示す(a)モノマー−無水マレイン酸アルキル半エステルまたは完全な酸、(b)マレアミン酸、および(c)マレイミドの繰り返し単位に構造的な特徴を有し、
【化１】
2006502253.tif 000004
この中で：
R, R1, R2およびR3は水素、アルキル、アルコキシ、シクロアルキル、アリール、エステル、酸、ヒドロキシ、ヒドロキシアルキル、アミド、フルオロ、ハロおよびシリルから選択され、R4は水素またはアルキルであり；かつ
R’は疎水性アミンX；親水性アミンY；およびポリエーテルアミンZ；およびそれらの適切な混合物からなる群から選択された誘導体化基であり、
この中で：
x, yおよびzはそれぞれ0-99.9、0-50および0.1-100モル％で存在し；かつX, YおよびZは0-20：0-99：1-20のモル％で存在する、上記自然感触のポリマー。
【請求項２】
請求項１記載の自然感触のポリマー(A)と、カルボン酸官能基を有する化合物またはポリマーである(B)を混合した製品。
【請求項３】
X, YおよびZが0-10：40-98：1-10のモル％を示す請求項１または請求項２記載の自然感触のポリマー。
【請求項４】
Xは１官能基性のα-非置換の一級または二級モノアミンであり；Yはヒドロキシα-置換されていないアミンまたはアルキルアミンであり；かつ、Zがポリオキシアルキレンアミンである、請求項１または請求項２記載の自然感触のポリマー。
【請求項５】
Xは１官能基性のα-非置換一級または二級モノアミンであって、置換されていないか、又はアルキル、アリール、複素環基、芳香族基、フッ素、シリルアミノ、カルボキシおよびハロゲンにより置換されたものであり；炭素数１-炭素数40のアルキルアミン；ブチルアミン、イソブチルアミン、およびオクタデシルアミンから選択され、；
Yはエタノールアミン、イソプロピルアミン、n-プロパノールアミン、3-アミノ-1-プロパノールから選択されたα-非置換アミン；メトキシエチルアミン、およびジグリコールアミン；および3-(ジメチルアミノ)プロピルアミン、ジメチルエチレンジアミン、N-アミノプロピルピロリドン、N-アミノエチルピロリドン、および1-(3-アミノプロピル)イミダゾールから選択されたアルキルジアミンであり、
Zは下記の化学式：
【化２】
2006502253.tif 000005
を有するポリオキシアルキレンアミンであって、
ここでR5とR6は水素およびアルキルから選択され、且つnとmは1-50の整数である、請求項１記載の自然感触のポリマー。
【請求項６】
R5がCH3であってR6が水素である、請求項５記載の自然感触のポリマー。
【請求項７】
R5とR6の両者がCH3である、請求項５記載の自然感触のポリマー。
【請求項８】
nが32であってmが10である、請求項５記載の自然感触のポリマー。
【請求項９】
(a)において前記モノマーがα-オレフィンである、請求項１または請求項２記載の自然感触のポリマー。
【請求項１０】
(B)が架橋されたアクリル酸ポリマーである、請求項２記載の自然感触のポリマー。
【請求項１１】
(B)が直鎖のカルボン酸を含有するポリマーである、請求項２記載の自然感触のポリマー。
【請求項１２】
(B)が直鎖のアクリル酸を含有するポリマーである、請求項２記載の自然感触のポリマー。
【請求項１３】
請求項１または請求項２記載の自然感触のポリマーを含む自己ケア製剤。
【請求項１４】
毛髪ケア製品である請求項１３記載の自己ケア製剤。
【請求項１５】
優れた高湿度カール保持力を示す毛髪ケア製品である、請求項１３記載の自己ケア製剤。
【請求項１６】
シャンプー、体洗浄剤、コンディショナー、リラクサー、パーマネントウェーブ剤、洗い流さない又は洗い流す毛髪ケア製剤である、請求項１３記載の毛髪ケア製剤。
【請求項１７】
スタイリング剤、ムース、ゲルまたはスプレーである、請求項１３記載の毛髪ケア製剤。
【請求項１８】
酸化的染毛剤、パーマネントウェーブ剤、漂白剤、または他のトリートメント製品である、請求項１３記載の自己ケア製剤。
【請求項１９】
皮膚をケアする製剤である、請求項１３記載の自己ケア製剤。
【請求項２０】
(A)中のマレイミドと(B)中のカルボキシル単位のモル比が約１：１である、請求項２記載の製品。
【請求項２１】
化粧品である、請求項１３記載の自己ケア製剤。
【発明の詳細な説明】
【技術分野】
【０００１】
本発明は自己ケア製品として有用なポリマー、特に整髪用のポリマーに関するものであり、本願明細書中で「自然感触」のポリマー呼ばれ、柔らかさおよび滑らかな感触といった望ましい物理的な特性のみならず、水溶性および水に対する耐性を有する。
【背景技術】
【０００２】
毛髪上で固く感じる整髪ポリマーは多量に塗布された圧力下ではやや脆く、そのために、かなり引っ張られた時にはこれらのポリマーは容易に破壊されてしまうであろう。一方、整髪に柔らかさが高いポリマーを用いると、高圧力および低圧力の両者の下で曲がるが、それらは一般的に、使用する者とっては望む整髪を行なうには柔らかすぎると感じられる。
【０００３】
従って本発明の目的はポリマーを提供することであって、該ポリマーは、固さと柔らかさの望ましい特質を有し、使用する者に自然な感触を与える毛髪への強い親和性も有し、且つ水溶性と水に対する耐性も有する。
【０００４】
本願明細書における他の目的は毛髪又は皮膚あるいは織物繊維などのサブストレートから、簡単な洗浄で容易に除去できる自然感触のポリマーを提供することである。
【０００５】
本発明のこれらおよび他の特徴は下記の記載から明らかになるであろう。
【発明の開示】
【０００６】
（発明の概要）
「A」ポリマーと呼ばれる自然感触のポリマーは、下記に示す(a)モノマー（例えばα-オレフィン）−無水マレイン酸アルキル半エステルまたは完全な酸（full acid）、(b)マレアミン酸（maleamic acid）、(c)マレイミドの繰り返し単位を一定量有し、この中で：
天然感触のポリマー
【化３】
2006502253.tif 000002
R, R1, R2およびR3は水素、アルキル、アルコキシ、シクロアルキル、アリール、エステル、酸、ヒドロキシ、ヒドロキシアルキル、アミド、フルオロ、ハロおよびシリルから選択され、R4は水素またはアルキルであり；かつ
R’は疎水性アミンX；親水性アミンY；およびポリエーテルアミンZ；およびそれらの適切な混合物からなる群から選択された誘導体化基（derivatizing group）であり；
x, yおよびzはそれぞれ、0-99.9、0-50および0.1-100；好ましくは0-50、0-5および50-100モル％で存在し；かつX, YおよびZは0-20：0-99：1-20；好ましくは0-10：40-98：1-10のモル比で存在する。
【０００７】
“A”ポリマーと、カルボン酸官能基を有する化合物またはポリマーである”B”の混合物により、好都合な性質を有する有用なポリマーが作製される。
【０００８】
（発明の詳細な説明）
本発明の自然感触のポリマー(A)は、ポリマーアミンの誘導体化基を多量に（重量で）含んでいる繰り返し単位に特に特徴を有し、該誘導体化基はそれ自身あるいは該ポリマー中の他の繰り返し単位と水素結合することが可能であり、分子内または分子間ポリマーを形成して偽ネットッワークポリマーとなる。そこでこのポリマーはあたかも架橋されているかの如くふるまう。そのような水素結合した分子の間の結合により該ポリマーは水に対して耐性となるが、該ポリマーは水溶性でもある。なぜならば、該ポリマーを一度水に浸すと、可溶化のために十分な量の水が許容されるからである。該ポリマーは天然のサブストレートに良く接着するが、望むならば容易に除去が可能である。いくつかのポリエーテル誘導体化剤はふき乾かすことによって結晶化し、水に対する耐性などの性質が促進する結果となる。
【０００９】
本発明の自然感触のポリマーの代表的な構造成分を以下に示す。
【００１０】
自然感触のポリマーのための反応物
ポリマー骨格
モノマー−無水マレイン酸コポリマー
アルキルビニルエーテル−無水マレイン酸コポリマーであって、例えばメチルビニルエーテル無水マレイン酸コポリマー、またはイソブチルビニルエーテル−無水マレイン酸コポリマー；およびアルファオレフィン−無水マレイン酸コポリマーを含むそれらの誘導体であって、それには例えばエチレン−無水マレイン酸コポリマー、またはイソブチレン−無水マレイン酸コポリマー；スチレン−無水マレイン酸コポリマーなどが含まれる。
【００１１】
誘導体化剤
疎水性アミン(X)
１官能基性のα-非置換一級または二級モノアミンであって、置換されていないか、又はアルキル、アリール、複素環基、芳香族基、フッ素、シリルアミノ、カルボキシおよびハロゲンよって置換されたものであり；例えば炭素数1-炭素数40のアルキルアミン；ブチルアミン、イソブチルアミン、およびオクタデシルアミンである。これらのアミンはポリマーの溶解性を変えるためにポリマー中に含ませることができる。
【００１２】
親水性アミン(Y)
例えばエタノールアミン、イソプロピルアミン、n-プロパノールアミン、3-アミノ-1-プロパノールなどのヒドロキシα-非置換アミン；メトキシエチルアミン、およびジグリコールアミン；および例えば3-(ジメチルアミノ)プロピルアミン、ジメチルエチレンジアミン、N-アミノプロピルピロリドン、N-アミノエチルピロリドン、および1-(3-アミノプロピル)イミダゾールなどのアルキルジアミンである。これらのアミンはポリマーにおける接着性／密着性バランスを改変するためと、システム中での他の成分との適合性を増加させるために、ポリマー中に含まれる。
【００１３】
ポリエーテルアミン(Z)
下記の化学式：
【化４】
2006502253.tif 000003
を有するポリオキシアルキレンアミンであって、
ここでR5とR6は水素およびアルキルから選択され；例えばR5がCH3であってR6が水素であり；R5がCH3であってR6がCH3であり；かつnとmは1-50の整数であって；例えばnが32でmが10である。これらのアミンはジェファーミン（登録商標）Mモノアミン（ハンツマン社）として、種々の分子量とエチレンオキサイド(EO)/プロピレンオキサイド(PO)比を有するものを入手できる。これらのアミンは、例えば柔らかさや柔軟性などの自然感触の性質のみならず、望む接着性／密着性バランスを提供するためにポリマー中に存在する。
【００１４】
本発明の他の特徴は、自然感触のポリマー(A)を、カルボン酸官能基を有する化合物またはポリマー(B)と混合することによって作製される産物を提供することである。カルボン酸官能基には、遊離した酸と中和された酸が含まれる。特に好適な(B)ポリマーは、例えばカルボポール（登録商標）などの直鎖または架橋されたアクリル酸ポリマーであって、好ましくは(A)と混合する前に中和される。(A)と(B)を混合した結果、複合体化した相乗的な製品が得られ、高湿度のカール保持力を有しており、(A)または(B)の単独と比較して溶液粘度が増加しているので整髪の用途に特に適している。製品の粘度は、ポリマー(A)中の(a)、(b)および(c)の相対量によって予見することができる。例えば、(c)繰り返し単位が100モル％であると不透明な製品が与えられるであろうが、一方、該ポリマーをより多くの(a)繰り返し単位で希釈すると、(B)と混合することにより、より望ましい透明であって粘度が低い製品を形成するであろう。
【００１５】
該ポリマーは強く相互作用してふいて乾かすことにより、個々のポリマーシステムよりも強さと密着性が増加したフィルムが得られる。
【００１６】
これらの相乗的なシステムを自己ケアによる整髪の用途に使用すると、個々のポリマー単独を含んでいる類似の製剤と比較して、得られた製剤は改善された高湿度およびカール保持力（HHCR）を有する。
【００１７】
(A)と(B)の間で複合化（complexation）する程度は、(B)中のカルボキシル単位に対する(A)中のマレイミドのモル比を調整することによって予見される。マレイミド：カルボキシルのモル比が１：１に近づくと産物の複合化は最も強くなる。
【００１８】
しかし、複合化は典型的な酸−塩基複合システム（例えばPVP及びアクリル酸）程にはpHに感受性を有さず；実際には中性のpHでも複合化は起こる。そこで、自己ケアの製剤は中性のpHまたはその付近のpHにおいても(A)と(B)が相乗的に複合化し、それにより得られた望ましい性質と物理的な特性も有する。
【００１９】
下記の実施例を参照として本発明をここで述べる。
【実施例】
【００２０】
実施例１
ポリマー(A)の調製
下記を2リットルのステンレス鋼の高圧反応器に投入した。
P（無水マレイン酸/イソブテン）（Man）                        72.94g
3-（ジメチルアミノ）プロピラミン（Manに基づいて50モル％）  24.17g
ジェファーミン（登録商標）M-2070（Manに基づいて2モル％）   20.73g
（分子量2,000, EO/POが70/30）（水溶性）
トリエチルアミン（Manに基づいて43モル％）（中和剤）         20.59g
メタノール                                                  257.07g
【００２１】
反応器を密封して窒素ガスで3回パージし、下記の加熱プロファイルに従って加熱を開始した。
室温    →    90℃、11/2時間
90℃    →    90℃、2時間
90℃    →   130℃、11/2時間
130℃    →   130℃、8時間
130℃    →    35℃、1時間
【００２２】
加熱サイクルの終わりに、軽い粘りけがある、黄色い、透明な溶液としてポリマー製品が得られ；その後それに水を加えると、粘りけがある、濁った、黄色い溶液が与えられた。典型的な整髪ゲルの製剤において存在している量で、その溶液を中和したカルボポール（登録商標）と混合した。濃厚で透明なゲルが一時間後に得られた。ゲル製剤を髪に適用し、得られたフィルムに圧力を加えた。フィルムは固さと柔らかさの特性、水に対する耐性と水溶性、および優れた高湿度カール保持力が組み合わされた自然な感触を示した。
【００２３】
ポリマー(A)をカルボン酸含有ポリマー(B)と混合する
ポリマー溶液(A)と架橋したアクリル酸ポリマーである中和したカルボポール（登録商標）を、それぞれ2および0.5重量％の量で、そして典型的な整髪ゲル製剤で存在している量で混合した。(A)または(B)よりも大きな粘度を有する高粘度なゲルが一時間後に得られた。ゲル製剤を毛髪に適用し、得られたフィルムに圧力をかけた。フィルムは固さと柔らかさの特性、水に対する耐性と水溶性、および優れた高湿度カール保持力が組み合わさった自然な感触を示した。
【００２４】
実施例２
下記の反応物を2リットルの圧力の圧力反応器に添加した。
ポリ（イソブチレン/無水マレイン酸）                        119.22g
ジメチルアミノプロピルアミン                                39.51g
ジェファーミンM-2005                                        42.35g
（分子量2,000, EO/POが5/95）（非水溶性）
ジェファーミンM-2070                                        42.35g
（分子量2,000, EO/POが70/30）（水溶性）
トリエチルアミン                                             31.30g
エタノール                                                  510.20g
【００２５】
反応器を密封して不活性ガスでパージした。下記の加熱プロファイルを開始した。
125℃への加熱    →    4時間
125℃での保持    →   12時間
35℃への冷却    →   1時間
【００２６】
加熱プロファイルが完了した後、反応器からポリマー溶液を排出した。得られた物質は粘りけのある、透明で黄色い溶液であった。この物質をフィルムにして置き、乾燥させた。脆くないフィルムが得られ、それは水溶性であった。水をエタノールと交換すると、エタノールに基づく材料と類似した性質を有する水に基づく溶液が与えられた。
【００２７】
カルボン酸を含んでいるポリマーを上記と同様に形成することができる。
【００２８】
実施例３
下記の反応物を2リットルの圧力の圧力反応器に添加した。
ポリ（イソブチレン/無水マレイン酸）                        119.22g
ジメチルアミノプロピラミン                                  39.51g
ジェファーミンM-2005                                        84.70g
トリエチルアミン                                             31.30g
エタノール                                                  510.20g
【００２９】
反応器を密封し、不活性ガスでパージした。下記の加熱プロファイルを開始した。
125℃への加熱    →    4時間
125℃での保持    →   12時間
35℃への冷却    →    1時間
【００３０】
加熱プロファイルが完了した後、反応器からポリマー溶液を排出した。得られた製品は粘りけのある、透明で黄色い溶液であった。この物質をフィルムにして置き、乾燥させた。脆くないフィルムが得られた。水と交換すると、エタノールに基づく物質と類似した性質を有する水に基づく溶液が与えられた。
【００３１】
上記のようにしてカルボン酸ポリマーの反応を行ない、もし望むならば、実施例１において述べられたような、新たな有用なポリマーを作製することがことが可能であった。
【００３２】
実施例４
下記の反応物を2リットルの圧力の圧力反応器に添加した。
ポリ（イソブチレン/無水マレイン酸）                        119.22g
ジメチルアミノプロピラミン                                  39.51g
ジェファーミンM-2005                                        84.70g
ジェファーミンM-2070                                        33.90g
トリエチルアミン                                             31.30g
エタノール                                                  573.17g
【００３３】
反応器を密封し、不活性ガスでパージした。下記の加熱プロファイルを開始した。
125℃への加熱    →    4時間
125℃での保持    →   12時間
35℃への冷却    →    1時間
【００３４】
加熱プロファイルが完了した後、反応器からポリマー溶液を排出した。得られた物質は粘りけのある、透明で黄色い溶液であった。この物質をフィルムにして置き、乾燥させると柔らかいフィルムが得られた。同じ物質を水と交換することができ、エタノールに基づく物質と類似した性質を有する水に基づく溶液が与えられた。
【００３５】
カルボン酸を含んでいるポリマーを実施例１と同様に形成することができる。
【００３６】
実施例５
下記の反応物を2リットルの圧力の圧力反応器に添加した。
ポリ（イソブチレン/無水マレイン酸）                        119.22g
ジメチルアミノプロピラミン                                  39.51g
ジェファーミンM-2005                                       101.70g
ジェファーミンM-2070                                        84.70g
トリエチルアミン                                             31.30g
エタノール                                                  699.08g
【００３７】
反応器を密封し、不活性ガスでパージした。下記の加熱プロファイルを開始した。
125℃への加熱    →    4時間
125℃での保持    →   12時間
35℃への冷却    →    1時間
【００３８】
加熱プロファイルが完了した後、反応器からポリマー溶液を排出した。得られた物質は粘りけのある、透明で黄色い溶液であった。この物質をフィルムにして置き、乾燥させると非常に柔らかいフィルムが得られた。同じ物質を水と交換することができ、エタノールに基づく物質と類似した性質を有する水に基づく溶液が与えられた。
【００３９】
カルボン酸を含んでいるポリマーを実施例１と同様に形成することができる。
【００４０】
実施例１から５の自然感触のポリマーを、スタイリング剤、ムース、ゲルおよびスプレーの毛髪ケア製品の形態で使用するために設計された、典型的な整髪製品に製剤した。これらの製品は実際に自然感触ポリマーの利点を使用する者に与えるという点で良く機能し、特に固さと柔らかさの特性、水に対する耐性と水溶性、および優れた高湿度カール保持力を有していた。
【００４１】
特に本願明細書中で述べられた組成物は自己ケアのための製品において有用であり、それにはゲル、ローション、光沢剤（glazes）、固定剤（glues）、ムース、スプレー、定着剤（fixative）、シャンプー、コンディショナー、2n1シャンプー、一時的な染毛剤、半ば持続的な染毛剤、持続的な染毛剤、直毛剤（straighteners）、パーマネントウェーブ剤、リラクサー、クリ−ム、パテ、ワックスおよびポマードなどが含まれるが、それらに限定されるものではない。本組成物は単独で、あるいは陰イオン性、非イオン性および陽イオン性の整髪ポリマー、増粘剤、フィルム形成剤、界面活性剤、還元剤、酸化剤、および自己ケア製品において典型的に見出される他の成分と組み合わせて使用することができる。具体的な例は以下の通りである。
【００４２】
ゲル：毛髪および/または皮膚ケアの組成物であって、本組成物は水溶性または水性アルコール性のゲルからなる。ゲルは、スプレーゲル、液体ゲル、チューブゲル、および高粘度で粘りけのあるタブゲル（tub gel）の形態とすることができる。本組成物を、陰イオン性、非イオン性、または陽イオン性のゲル化剤（透明な、半透明な又は不透明な）あるいはそれらと、好ましくは0.1−10重量％の使用レベルで組み合わせて使用することができ、好ましくはそのようなゲル化剤は0.1−5重量％で存在する。
【００４３】
陰イオン性ゲル化剤には、カルボマー、アクリル酸/炭素数10-30のアルキルアクリル酸架橋ポリマー、アクリル酸コポリマー、アクリル酸/ベヘネツ-25メタクリル酸コポリマー、アクリル酸/ステアレス-20メタクリル酸コポリマー、PVM/MAデカジエン架橋ポリマー、キサンタンガム、ポリアクリル酸ナトリウム、ポリアクリルアミド、アクリル酸ナトリウムのコポリマー、およびポリアクリルアミドのコポリマーが含まれるが、それらに限定されるものではない。
【００４４】
非イオン性ゲル化剤には、グアーおよびそれらの誘導体、およびセルロースおよびそれらの誘導体が含まれるが、それらに限定されるものではない。その例には、ヒドロキシエチルセルロース、ヒドロキシプロピルセルロース、ヒドロキシメチルセルロース、ヒドロキシプロピルグアーがある。
【００４５】
陽イオン性増粘剤には、ポリクアテミウム32（および）鉱油、ならびにポリクアテミウム37（および）鉱油（および）PPG-1トリデセス-6が含まれるが、それらに限定されるものではない。
【００４６】
アクリル酸の架橋されたホモポリマー（例えばカルボマーおよび/またはアクリル酸/炭素数10-30のアルキルアクリル酸架橋ポリマー）をゲル化剤として使用した組成物を、毛髪と皮膚をケアするゲルの製剤とすると、湿気に対する耐性において相乗的な性能が得られる。特に上記に列挙した組み合わせの整髪ゲルは、毛髪に関して相乗的な高湿度耐性を示す。
【００４７】
カルボマーおよび/またはアクリル酸/炭素数10-30のアルキルアクリル酸架橋ポリマーを含む組成物の複合体が形成されると、透明なフィルムがもたらされる。そのような化合物をゲル化剤の中へ添加することにより、得られる粘度、収率値、および懸濁能力は影響されないか、あるいは増加する。
【００４８】
製剤例
整髪ゲル製剤例１
水 − 十分量から100％
カルボマー − 0.5％
トリエタノールアミン（99％） - 0.5％
イソブチレン/ジメチルアミノプロピルマレイミド/エトキシ化したマレイミド/マレイン酸コポリマー（30％） - 6.66
ベンゾフェノン-４ − 0.05
EDTA2ナトリウム − 0.10
トリエタノールアミン（99％） - pH7に調整
プロピレングリコール（および）ジアゾリジニル尿素（および）ヨードプロピニルブチルカルバメート− 0.5
【００４９】
整髪ゲル製剤例２
水 − 十分量から100％
イソセテス-20− 0.5
イソブチレン/ジメチルアミノプロピルマレイミド/エトキシ化したマレイミド/マレイン酸コポリマー（30％） - 6.66
アミノメチルプロパノール − 0.25％
アクリル酸/ベヘネス-25メタクリル酸コポリマー（20％） 4.7
プロピレングリコール（および）ジアゾリジニル尿素（および）ヨードプロピニルブチルカルバメート − 0.5
【００５０】
整髪クリーム
水− 十分量から100％
ポリアクリル酸ナトリウム（および）水素化したポリデセン（および）トリデセス-6 − 2.0％
イソブチレン/ジメチルアミノプロピルマレイミド/エトキシ化したマレイミド/マレイン酸コポリマー（30％） - 6.7％
グリセリン− 2.0％
セチルPEG/PPG-15/15ブチルエーテルジメチコン − 1.0％
プロピレングリコール（および）ジアゾリジニル尿素（および）ヨードプロピニルブチルカルバメート − 0.5％
【００５１】
ムース：本組成物を、エアロゾルおよび非エアロゾルの毛髪および皮膚用のムース製剤のみならず、スプレームースに入れることができ、ディップチューブおよび機械的な破砕駆動部を有するエアロゾルバルブを使用して霧状の泡スプレーを送る。それらはエアロゾールのおよび非エアロゾールの髭剃り用のフォームの用途にも適している。本組成物の好適な使用レベルは0.1-10.0重量％である。
【００５２】
シャンプーおよび体洗浄剤：述べられた本組成物は陰イオン性、両イオン性、陽イオン性および非イオン性界面活性剤と適合する。本組成物を、毛髪および体のための洗浄製剤中に入れることができる。述べられた組成物は好ましくは0.1-10.0重量％の使用レベルで、陰イオン性、両イオン性、陽イオン性および非イオン性界面活性剤またはそれらの組み合わせと共に使用可能であり、そのような界面活性剤は好ましくは0.1-20重量％の量で存在する。
【００５３】
透明なシャンプーの製剤例
水 − 十分量から100％
イソブチレン/ジメチルアミノプロピルマレイミド/エトキシ化したマレイミド/マレイン酸コポリマー - 5.0
コカミドプロピルベタイン（34.5％） - 10.00％
ココアンフォジアセテート（50％） - 5.00％
ラウレス硫酸ナトリウム（25.6） - 17.5％
ラウリル硫酸アンモニウム（29.2％） - 17.5％
プロピレングリコール（および）ジアゾリジニル尿素（および）ヨードプロピニルブチルカルバメート − 0.30
クエン酸 - 0.25％
【００５４】
水中油型乳液および毛髪コンディショナー（洗い流さない物と洗い流す物の両者を含む）：本組成物を毛髪および皮膚用の水中油型乳液の中に入れることができる。毛髪コンディショナーの中で、述べられた組成物は４級アミン化合物と適合性を有する。界面活性剤/乳化剤の使用レベルは、好ましくは0.1から10重量％である。
【００５５】
コンディショナー製剤例
A相：
水 − 十分量から100％
クエン酸 - 0.25
ヒドロキシエチルセルロース - 0.5％
EDTA2ナトリウム - 0.1％
B相：
セテアリルアルコール − 4.0
ステアレス-10 − 1.0
グリセリルステアリン酸（および）PEG-100ステアリン酸 - 2.5％
塩化ジセチルジモニウム（68.2％） - 2.0％
C相：
イソブチレン/ジメチルアミノプロピルマレイミド/エトキシ化したマレイミド/マレイン酸コポリマー（30％） - 6.6
プロピレングリコール（および）ジアゾリジニル尿素（および）ヨードプロピニルブチルカルバメート − 0.5
コムギアミノ酸− 0.5
工程：A相とB相を別個に75℃に加熱する。攪拌しながらB相をA相に添加する。均一になるまで混合して45℃に冷却する。混合を継続してC相中の成分を均一になるまで混合しながら一度に添加する。
【００５６】
酸化的な染毛剤：本組成物を、半ば持続的な染毛剤および持続的な染毛剤の製品を含む酸化的な染毛剤の製剤中に入れることができ、好ましい使用レベルは0.1から10重量％である。
【００５７】
製剤例：
水− 十分量から100％
オレイン酸 − 5％
炭素数11-15のパレス-9 − 3％
イソブチレン/ジメチルアミノプロピルマレイミド/エトキシ化したマレイミド/マレイン酸コポリマー（30％） - 3.0
水酸化アンモニウム − 2％
スレアレス-21 − 2％
プロピレングリコール − 2％
セチルアルコール − 2％
PEG150/ステアリル/SMDIコポリマー − 3％
ステアリルアルコール − 1％
硫酸ナトリウム − 1％
酸化鉄 − 0.5％
雲母 − 0.2％
1-ナフィトール − 0.2％
P-フェニレンジアミン − 0.2％
二酸化チタン − 0.1％
【００５８】
リラクサーおよびパーマネントウェーブ剤：本組成物は、リラクサーおよびパーマネントウェーブ剤の製剤中で、好ましくは0.1-10重量％の量で使用することができる。それらを毛髪還元剤と組合わせることができ、その毛髪還元剤にはチオグリコール酸アンモニウム、水酸化グアニジン、重亜硫酸ナトリウムなどが含まれる。本組成物をフローローション（毛髪の酸化/硬化の前のトリートメント相）の中に、あるいは中和剤/酸化剤の相の中にも入れることもできる。
【００５９】
製剤例：
毛髪リラクサー基材のクリーム：炭酸グアニジン活性化剤溶液と混合するべきもの
水 − 十分量から100％
ワセリン − 10％
パラフィンワックス − 8％
鉱油 − 6％
イソブチレン/ジメチルアミノプロピルマレイミド/エトキシ化したマレイミド/マレイン酸コポリマー（30％） - 5.0
セテアリルアルコール − 3％
水酸化カルシウム − 3％
ポリソルベート80 − 2％
ラネス-15 − 2％
PEG-75ラノリン油 − 1％
コカンフォジプロピオン酸 − 1％
【００６０】
ヘアスプレー：本発明の組成物を、非エアゾールおよびエアゾールの両者のヘアスプレーに入れることが可能であり、使用レベルは好ましくは0.1-10重量％である。エアゾールのヘアスプレーは、炭化水素を最大で60％、ジメチルエーテルを70％、ハイドロフルオロカーボン152aを50％、またはそれらの組み合わせを含む事が可能である。ヘアスプレーの製剤には、アルコールを含まないポンプヘアスプレー、55％-95％の揮発性有機化合物（VOC）ポンプ、およびエアロゾールのヘアスプレーを含むが、それらに限定されるものではない。
【国際調査報告】
2006502253.tif 000006